(57)【特許請求の範囲】
【請求項１】
上端及び下端及び前記上端と前記下端との間に形成され前記上端に開口を形成する中空のスペースを有するベースと、
前記ベースに接続され、前記ベースの上端の開口に配置されるカミソリのための受け部材であって、周縁部を備え、前記ベースの上端の前記開口は、前記受け部材の周縁部を完全に包囲する、受け部材と、を有し、
前記ベースの前記中空のスペースは、シェービング剤を収容するようになっているシェービング組立体。
【請求項２】
前記ベースの中空のスペース内に配置されたシェービング剤を備え、前記シェービング剤は、前記ベースの上端の開口上に延びており、前記受け部材の周縁部を完全に包囲する請求項１に記載のシェービング組立体。
【請求項３】
前記シェービング剤は、上面と、底面と、前記上面と前記底面との間に延びる固形シェービング剤を有する請求項２に記載のシェービング組立体。
【請求項４】
前記固形シェービング剤は、その上面と底面との間に延びる穴を有し、前記穴は、前記受け部材が前記固形シェービング剤の前記穴を貫通することができるように前記受け部材の周縁部より大きい内側の寸法を有する請求項３に記載のシェービング組立体。
【請求項５】
前記シェービング剤の上面と底面との間に延びる穴は、軸線方向の穴である請求項４に記載のシェービング組立体。
【請求項６】
前記シェービング剤は、卵形である請求項３に記載の組立体。
【請求項７】
前記固形シェービング剤は、潤滑剤及び皮膚に有利な成分または香料を含む請求項３に記載の組立体。
【請求項８】
前記固形シェービング剤は、石鹸を有する請求項３に記載の組立体。
【請求項９】
前記ベースの中空のスペース内に配置され、前記シェービング剤の底面に接触する支持部材と、
前記シェービング剤を前記ベースの上端の開口に向けて押すために前記ベースと前記支持部材との間の弾性部材と、を有する請求項４に記載のシェービング組立体。
【請求項１０】
前記弾性部材は、前記ベースに取り付けられた第１の端部及び前記支持部材に取り付けられた第２の端部を備えた１つまたは複数のばねを有する請求項９に記載のシェービング組立体。
【請求項１１】
前記１つまたは複数のばねは、前記ベースに一体的に接続されている請求項１０に記載のシェービング組立体。
【請求項１２】
前記弾性部材は、圧縮可能な気泡体を有する請求項９に記載のシェービング組立体。
【請求項１３】
前記支持部材は、リングを備え、前記リングは、前記固形シェービング剤を通って延びる穴に整列している中央開口を備えている請求項９に記載のシェービング組立体。
【請求項１４】
前記受け部材に取り付けられたカミソリを有する請求項１に記載のシェービング組立体。
【請求項１５】
前記カミソリは、細長いカミソリ刃を有する請求項１４に記載のシェービング組立体。
【請求項１６】
前記カミソリ刃は、１つまたは複数の細長い刃先を有する請求項１５に記載のシェービング組立体。
【請求項１７】
前記カミソリ刃は、その長手方向軸線を横断する方向に延びる１つまたは複数のワイヤ、成形部材、ダイカット部材を含む請求項１６に記載の組立体。
【請求項１８】
前記１つまたは複数のワイヤ、成形部材またはダイカット部材は、１つまたは複数の刃先に重なる請求項１７に記載の組立体。
【請求項１９】
前記組立体は、前記カミソリ刃の１つまたは複数の刃先に重なるメッシュを有する請求項１６に記載の組立体。
【請求項２０】
前記カミソリは、多数の穴を有する金属薄板から成り、各穴の内周縁部に刃先を有する請求項１４に記載の組立体。
【請求項２１】
前記受け部材は、前記少なくとも１つの刃の刃先が前記ベースの上端になるように前記ベースの上端上に伸長可能である請求項２０に記載のシェービング組立体。
【請求項２２】
前記受け部材に取り付けられたカミソリ刃カートリッジを有する請求項１に記載のシェービング組立体。
【請求項２３】
前記受け部材は、前記ベースに回転可能に接続される請求項２２に記載のシェービング組立体。
【請求項２４】
前記カミソリ刃カートリッジは、前記受け部材に回転可能に接続されている請求項２２に記載のシェービング組立体。
【請求項２５】
前記受け部材は、前記少なくとも１つの刃が前記ベースの上端上にあるように前記ベースの上端上に伸長可能である請求項１５に記載のシェービング組立体。
【請求項２６】
前記受け部材は、前記ベースの前記上端及び下端との間で可動であるカートリッジ受け部材を有する請求項１に記載のシェービング組立体。
【請求項２７】
前記カートリッジ受け部材を前記ベースの上端に向かって押すために前記ベースと前記カートリッジ受け部材との間に弾性部材を有する請求項２６に記載のシェービング組立体。
【請求項２８】
前記弾性部材は１つまたは複数のばねを有する請求項２７に記載のシェービング組立体。
【請求項２９】
前記弾性部材は、圧縮可能な気泡体を有する請求項２７に記載のシェービング組立体。
【請求項３０】
前記カートリッジ受け部材は、前記ベースにラチェットにより取付けられている請求項２６に記載のシェービング組立体。
【請求項３１】
前記ベースは、中央開口を有する少なくとも１つのカートリッジ受け部材の脚部支持部材を有し、前記カートリッジ受け部材は、前記カートリッジ受け部材脚部支持部材の中央開口に取り付けられた少なくとも１つの脚部を有し、前記カートリッジ受け部材の少なくとも１つの脚部は、前記カートリッジ受け部材を前記ベースの下端に向かって選択的に取り付けるために前記中央開口の歯に係合する請求項３０に記載のシェービング組立体。
【請求項３２】
前記カートリッジ受け部材を前記ベースに向かって降下させるために前記ベースと前記カートリッジ受け部材との間にねじが形成された軸部材を有する請求項３１に記載のシェービング組立体。
【請求項３３】
前記ベースの中空のスペースに設けられ、前記ベースの下端と上端との間に可動である支持部材を有する請求項１に記載のシェービング組立体。
【請求項３４】
前記ベースの下端と上端との間の前記支持部材の位置を調整するために支持部材に接触する調整部材を有する請求項３３に記載のシェービング組立体。
【請求項３５】
前記ベースは、前記調整部材の少なくとも一部を受けるためにその下端に第２の開口を有する請求項３４に記載のシェービング組立体。
【請求項３６】
前記調整部材は、前記支持部材に接触する第１の端部と、そこから離れた第２の端部とを有する軸を有し、前記軸の第２の端部は、前記ベースの下端の第２の開口を貫通する請求項３５に記載のシェービング組立体。
【請求項３７】
前記支持部材は、めねじを有する第３の開口を含む請求項３６に記載のシェービング組立体。
【請求項３８】
前記調整部材は、軸を有し、前記軸は、前記支持部材の第３の開口のめねじに係合するために前記第１と前記第２の端部との間に延びているおねじを有し、下端部が前記ベースの下端の下に延びており、前記軸の下端部に回転可能なノブが取り付けられており、前記回転可能なノブの回転は、前記軸のおねじが前記ベースの上端と下端との間で前記支持部材を移動するために前記支持部材の前記第３の開口のめねじに係合するように前記軸を回転させる請求項３７に記載のシェービング組立体。
【請求項３９】
前記ベースは、前記上端と下端との間に延びる側壁を有し、前記側壁の少なくとも一方は、前記調整部材の少なくとも一方を受ける側壁の開口を有する請求項３６に記載のシェービング組立体。
【請求項４０】
前記調整部材は、軸を有し、前記軸は、前記第１と第２の端部の間に延びるおねじを有し、前記ベースの側壁の開口に設けられ、ねじが形成された軸に接触するラチェット構成とを有し、前記ラチェット構成の動作は、前記ベースの前記上端と下端との間で前記支持部材を移動する請求項３９に記載のシェービング組立体。
【請求項４１】
前記ベースの前記中空のスペースに設けられたシェービング剤を有する請求項３４に記載のシェービング組立体。
【請求項４２】
前記支持部材は、前記シェービング剤に係合するための上面を有し、前記ベースの上端に向かう支持部材の動きは、前記ベースの上端の第１の開口に向かってシェービング剤を押す請求項４１に記載のシェービング組立体。
【請求項４３】
前記第１の開口部に向かって押される前記シェービング剤の少なくとも一部は、前記カートリッジ受け部材の周縁部を完全に包囲する請求項４２に記載のシェービング組立体。
【請求項４４】
前記シェービング剤は、上面と下面とを有する固形シェービング剤である請求項４３に記載のシェービング組立体。
【請求項４５】
前記固形シェービング剤は、前記上面と前記下面との間に延びる側壁を有し、前記上面から前記下面に前記固形シェービング剤を通って延びる穴とを有する請求項４４に記載のシェービング組立体。
【請求項４６】
前記シェービング剤は、流動性潤滑剤である請求項４１に記載のシェービング組立体。
【請求項４７】
前記流動性潤滑剤は、シェービングクリーム、シェービングジェル、液体石鹸、及び皮膚によい成分及び香料からなるグループから選択される請求項４６に記載のシェービング組立体。
【請求項４８】
上端及び下端及び前記上端の開口を有し、シェービング剤を収容し、上端の開口に連通する中空のスペースを形成するベースと、
前記ベースに接続され、前記開口が周縁部を完全に包囲するように前記ベースの前記上端の開口に配置されたカミソリ刃カートリッジを受けるカートリッジ受け部材と、を有するカミソリ刃カートリッジのカートリッジ受け部材の周縁部の周りにシェービング剤を供給するシェービング組立体。
【請求項４９】
前記ベースの中空のスペースに配置され、シェービング剤に係合するために支持部材を有する請求項４８に記載のシェービング組立体。
【請求項５０】
前記支持部材は、貫通して延びる第２の開口を有し、前記第２の開口は、前記カートリッジ受け部材がそれを通過することができるような寸法である請求項４９に記載のシェービング組立体。
【請求項５１】
前記支持部材は、前記ベースと前記カートリッジ受け部材に対して可動である請求項５０に記載のシェービング組立体。
【請求項５２】
前記支持部材を前記ベースの上端に向かって押すために前記ベースと前記支持部材との間に弾性部材を有する請求項５１に記載のシェービング組立体。
【請求項５３】
前記弾性部材は、１つまたは複数のばねを有する請求項５２に記載のシェービング組立体。
【請求項５４】
前記弾性部材は、圧縮可能な気泡体を有する請求項５２に記載のシェービング組立体。
【請求項５５】
前記シェービング剤は、上面と底面とその間に延びる穴を有する固形シェービング剤を有し、前記固形シェービング剤は前記カートリッジ受け部材の周縁部より大きい周縁部を有する請求項５１に記載のシェービング組立体。
【請求項５６】
前記カートリッジ受け部材は、前記ベースに対して可動である請求項４８に記載のシェービング組立体。
【請求項５７】
前記カートリッジ受け部材を前記ベースの上端に向かって押すために前記ベースと前記カートリッジ受け部材との間の弾性部材を有する請求項５６に記載のシェービング組立体。
【請求項５８】
前記弾性部材は、１つまたは複数のばねを有する請求項５７に記載のシェービング組立体。
【請求項５９】
前記弾性部材は、圧縮可能な気泡体を有する請求項５７に記載のシェービング組立体。
【請求項６０】
上端と、下端と、上端に開口とを有し、シェービング剤を保持する中空のスペースを有するベースと、
前記ベースに接続されたカミソリ刃カートリッジと、を有し、カートリッジ受け部材が、前記開口が前記カートリッジ受け部材を完全に包囲するように前記ベースの上端の開口に配置され、前記中空のスペースは、シェービング剤を前記カートリッジ受け部材の周りに完全に供給するために前記ベースの上端の開口に連通しているシェービング組立体。
【請求項６１】
前記ベースは、前記ベースの上端の開口に向かって前記シェービング剤を押すために前記シェービング剤に連通する弾性部材を有する請求項６０に記載のシェービング組立体。
【請求項６２】
前記シェービング剤が前記カミソリ刃カートリッジの周縁に供給されるように前記ベースの上端の開口部に前記シェービング剤を選択的に移動するためにシェービング剤と連通する調整可能部材を有する請求項６０に記載のシェービング組立体。
【請求項６３】
前記シェービング剤は、固形シェービング剤を有する請求項６０に記載の組立体。
【請求項６４】
上端及び下端、及び前記上端と前記下端との間に形成され前記上端に開口を形成する中空のスペースを有するベースと、
前記中空のスペースに収容され、前記ベースの上端の開口に包囲された表面を有するシェービング剤と、
前記ベースの上端の開口に配置された、少なくとも１つの刃先を有するカミソリと、を有し、
前記カミソリは、前記カミソリの刃先及び前記シェービング剤の前記表面が同じ平面にあるように前記シェービング剤に埋め込まれているシェービング組立体。
【請求項６５】
前記シェービング剤の前記表面は、前記カミソリを包囲する請求項６４に記載の組立体。
【請求項６６】
前記カミソリは、多数の穴を有する金属薄板から成り、各穴の内周縁部に刃先を有する請求項６５に記載の組立体。
【請求項６７】
前記シェービング剤は長手方向の軸線を有し、前記カミソリの少なくとも１つの刃先は、前記シェービング剤の長手方向の軸線に平行である請求項６５に記載の組立体。
【請求項６８】
前記ベースは、前記シェービング剤の１つまたは複数の表面に接触している把持部材を有する請求項６７に記載の組立体。
【請求項６９】
前記把持部材は、前記シェービング剤に取付られている請求項６８に記載の組立体。
【請求項７０】
前記把持部材は、前記シェービング剤に貼り付けられている請求項６８に記載の組立体。
【請求項７１】
前記シェービング剤は固形シェービング剤である請求項６４に記載の組立体。
【請求項７２】
前記把持部材は、ゴムまたは気泡体を有する請求項６８に記載の組立体。
【請求項７３】
前記把持部材は、織り目模様の表面を有する請求項６８に記載の組立体。
【請求項７４】
前記把持部材は、前記少なくとも１つのカミソリから離れている請求項６８に記載の組立体。
【請求項７５】
前記シェービング剤は、卵形状である請求項７１に記載の組立体。
【請求項７６】
前記シェービング剤は潤滑剤を有する請求項７１に記載の組立体。
【請求項７７】
前記シェービング剤は、皮膚によい成分または香料を含む請求項７６に記載の組立体。
【請求項７８】
固形シェービング剤は、石鹸である請求項７１に記載の組立体。
【請求項７９】
前記カミソリは、少なくとも１つの細長い刃先を有する請求項６４に記載の組立体。
【請求項８０】
前記カミソリは、前記少なくとも１つの刃先を横断するような方向に延びる前記１つまたは複数のワイヤ、成形部材またはダイカット部材を有する請求項７９に記載の組立体。
【請求項８１】
前記１つまたは複数のワイヤ、成形部材またはダイカット部材は、前記少なくとも１つのカミソリの刃先に重なる請求項８０に記載の組立体。
【請求項８２】
前記組立体は、前記カミソリ刃の少なくとも１つの刃先に重なるメッシュを有する請求項６４記載の組立体。
【発明の詳細な説明】
【０００１】
【発明の属する技術分野】
本発明は、シェービングに関し、特に一回の行程で表面を潤滑しシェービングすることができるシェービング組立体に関する。
【０００２】
【従来の技術】
体毛をシェービングすることは、次のステップを必要とする。
（１）皮膚の表面をぬらすこと、（２）シェービング剤（例えば、シェービングクリーム）を準備するか及び／又は分配すること、（３）シェービング剤を皮膚の表面につけること、（４）カミソリで皮膚の表面をシェービングすること、（５）皮膚に残った余分なシェービング剤を洗い流すこと、が必要になる。シェービングの時間を短縮し、シェービングを簡単にするために、上述したステップのうち２つまたはそれ以上のステップを組み合わせるために多くの努力がなされたきた。
【０００３】
米国特許第4,712,300号は、単一のステップで皮膚を濡らし、シェービングすることができるカミソリ刃を開示している。カミソリホルダは、中に埋め込まれたカミソリ組立体を備えたスポンジ状の材料のブロックを含み、刃の刃先は、スポンジ状のブロックの表面のわずかに下に配置されている。濡れたとき、スポンジ状のブロックは、皮膚の表面にわずかに押され、皮膚をシェービングする方向に動かされる。
【０００４】
米国特許第4,074,492号は、シェービング動作が単一の行程で行われるようにカミソリ刃の進行によってシェービング表面に石鹸と水分をつける組み合わされた組立体を開示する。これは、カミソリの刃のすぐ前方に固形石鹸のような石鹸装置を取り付けることによって達成される。シェービング動作の間、カミソリ及び石鹸装置は、水に浸けられ、カミソリは、通常の方法でユーザの皮膚を横切るように引かれる。カミソリの石鹸装置の位置は、固形石鹸がカミソリ刃の前進によってユーザに顔に直ぐに接触し、シェービングの直前に潤滑成分を提供するような位置である。しかしながら、石鹸塗布組立体のユーザは、潤滑剤がシェービング面に適切に塗布されるように固形石鹸を常に調整しなければならない。
【０００５】
米国特許第4,562,644号は、カミソリがユーザの皮膚に沿ってシェービング運動で移動するときに、刃の刃先の前方に設けられた潤滑剤を含む潤滑剤塗布安全カミソリを開示している。潤滑部材は、潤滑成分から生成され、刃先の幅を横断するように延びている細長い円筒形ロールである。潤滑部材は、薄い潤滑フィルムを皮膚につけるようにユーザの皮膚に係合する周縁部面を有する。
【０００６】
米国特許第3,895,437号は、刃が前進する直前の位置でカミソリに取付けられたスポンジ状材料を含むシェービング組立体を開示している。スポンジ状部材は、ユーザの顔でシェービング剤に接触するとき、シェービング剤は、スポンジ状部材によって提供された潤滑剤によってぬらされる。
【０００７】
米国特許第4,944,090号は、カミソリヘッドまたは細長いカミソリを有するカートリッジによって支持された可溶性本体を有するカミソリを開示している。可溶性本体は、カミソリに対して可動であり、ばねによってカミソリヘッドの開口を通して偏倚される。米国特許第4,944,090号に開示された可溶性本体は、細長いカミソリを完全には包囲していない。その結果、この装置は、シェービング表面上に一方向のみに移動することができるように構成され、カミソリがシェービング面状で複数の方向に移動するときに皮膚を適切に潤滑することができない。
【０００８】
米国特許第5,141,349号は、最初にシェービングする領域に直接シェービング剤を塗布することなく、シェービングを行うことができるようにシェービングの前に噴霧装置を介してカミソリ刃に流動性潤滑剤と可溶物との混合物を塗布することによってカミソリの刃を潤滑する装置を開示する。
【０００９】
上述した特許は、ある程度シェービングを簡単にし改善することができた。しかしながら、これらの特許に開示されたシェービング装置は、ユーザがシャワーまたは風呂に入りながらシェービングしようとするときのような、ある独特のシェービングの環境で有効に作動することができない。
【００１０】
シャワーにおけるシェービングに関連する多数の独得の問題がある。第１に、シェービングクリームのようなシェービング剤は、しばしば、カミソリが皮膚に接触する前に洗い流される。その結果、シェービング中に皮膚またはシェービング表面をカバーする潤滑剤の利点を利用することはほとんどないかまったくなくなり、不可能でないまでもシェービング剤の潤滑特性の利点を利用することを困難にし、シェービングが心地のよくないものになる。さらに、シャワーしながらシェービングする人たちは、シェービング剤が流されないようにぎこちない危険な位置をとらなければならない。さらに、シャワー中のシェービングは、１）カミソリをシャワー内の安定した場所に配置すること、２）シェービング剤を皮膚に塗布すること、３）皮膚のシェービングをするためにカミソリを再び持たなければならない、という複雑な動作をユーザに要求する。これによれば、ユーザがこの複雑な処理中にカミソリを落とす可能性がある。
【００１１】
【発明が解決しようとする課題】
したがって、シャワーまたは風呂に入っているときのようなぬれた環境で効率のよい安全なシェービングが可能なシェービング組立体が必要になる。また、毛を取り除く間に皮膚の潤滑を最大限にするようにカミソリと潤滑剤を組み合わせたシェービング組立体のニーズがある。この皮膚潤滑剤は、皮膚に有効な添加物及び／又は香料を含む。このような湿式カミソリ装置は、身体の洗浄と毛の除去を同時に行い、シャワーまたは風呂に費やす時間を低減することができなければならない。
【００１２】
【課題を解決するための手段】
本発明の１つの好ましい実施形態は、上端と、下端と、その間の中空のスペースとを有するベースを含むシェービング組立体を提供する。このベースは、上端に開口を有し、中空のスペースは、その開口と連通している。中空のスペースは、固形の石鹸、液体石鹸、ボディ石鹸、シェービングクリームまたはシェービングジェルのような潤滑シェービング剤を取付及び／又は保持するようになっている。ベースは、ポリマー及び金属のような広範な材料からつくられ、可撓性または剛性である。ある実施形態において、ベースは、中空のスペースと、前記中空のスペースの底部部分にキャップをするか及び／又は閉鎖する下方部材とを有する。
【００１３】
また、シェービング組立体は、周縁部を備えたカートリッジ受け部材を含む。このカートリッジ受け部材は、１つまたは複数のカミソリ刃またはカミソリ刃カートリッジを選択的に固定するように構成されており、各カミソリ刃またはカミソリ刃カートリッジは、刃先を有する１つまたは複数の細長い刃を有する。このカートリッジ受け部材は、取り付けられた１つまたは複数のカミソリ刃または中のカミソリカートリッジが、回転、固定またはその組み合わせによって可動であるか、可動ではない。カートリッジ受け部材は、開口部がカートリッジ受け部材の周縁部を完全に包囲するようにベースの上端に隣接してまたはその開口部に配置される。また、このカートリッジは、受け部材に配置されたカミソリの刃先がベースの上端になるようにベースの上端上に突出している。
【００１４】
ある実施形態において、カートリッジ受け部材の位置は、ベースに接触した隣接部材を使用して調整することができる。また、カートリッジ受け部材は、受け部材を弾性部材に接触することによって可動である。弾性部材は、ベースの上端に向かってカートリッジ受け部材を偏倚することが好ましい。他の実施形態において、カートリッジ受け部材は、ベースに取り付けられたラチェット機構である。この特定の実施形態において、バースは、歯を含む中央の開口を備えた少なくとも１つのカートリッジ受け部材の脚部を有し、カートリッジ受け部材は、カートリッジ受け部材の脚部支持部材の中央開口に取り付けられた少なくとも１つの脚部を有する。カートリッジ受け部材の少なくとも１つの脚部は、ベースの下端に向かってカートリッジを選択的に固定するための中央開口部の歯に係合する。
【００１５】
ある好ましい実施形態において、シェービング組立体は、ベースの上端に向かってシェービング剤を押すためにベースとシェービング剤との間に弾性部材を有する。他の好ましい実施形態において、シェービング組立体は、シェービング剤をベースの上端に向けて段階的に押すためにベースと接触し、シェービング剤に連通した調整部材を有する。調整部材は、ラチェット機構と、ねじが形成された軸に接続された回転可能なノブと、レバーと、ばねまたは剛性軸とのような、物体通過スペースを移動する装置である。
【００１６】
動作において、本発明のシェービング組立体は、ベースの上端の開口部に、カミソリ刃の周縁部にシェービング剤を供給する。その結果、シェービング剤は、カミソリの刃先の前進する直前でユーザの皮膚に塗布される。したがって、シェービング面は、単一の動きによって潤滑され、そることができる。さらに、シェービング剤がカートリッジ受け部材の周縁部全体にあるので、シェービング組立体は、シェービング面上のいかなる方向へも移動することができる。カミソリを複数の方向に移動する能力は、ユーザの皮膚面上のどの方向にも安全に移動する現在の新しい安全な刃に特に適している。さらに、シェービング剤及び刃の刃先は、共通の平面にあることが好ましい。なぜならば、シェービング剤または刃のいずれかの高さは、調整部材を使用して調整するか、弾性部材を使用して自動的に調整することによって調整することができるからである。
【００１７】
ある好ましい実施形態において、シェービング剤は、ベースの中空のスペース内に配置され、カートリッジ受け部材の周縁部を完全に包囲するようにベースの上端の開口に延ばされるか、押される。このシェービング剤は、上面、底面及びその間の側壁を備えた固体の石鹸のような固形の形態である。１つの実施形態において、固形のシェービング剤は、上面と底面との間に延びる軸線方向の穴を有する。軸線の穴は、カートリッジ受け部材がケーキの軸線方向の穴を貫通することができるようにカートリッジ受け部材の周縁部より大きい周縁部を規定する。固形シェービング剤は、ベースの開口にしっかりと効率的に嵌合するために必要な形状を有する。
【００１８】
また、シェービング組立体は、ベースの中空のスペース内に配置され、シェービング剤と接触する支持部材を有する。支持部材は、シェービング剤をベースの上端の開口に向けて支持するか、押す。１つの実施形態において、支持部材は、固形のシェービング剤を通して延びる軸線方向の穴に整列している中央開口を有する支持リングを含む。固形シェービング剤の中央開口及び軸線方向の穴は、支持リング及び固形シェービング剤がカートリッジレシーバの周縁部を通過するように整列している。他の好ましい実施形態において、シェービング剤は液体形態で提供される。支持部材は、ベースの上端に向かって移動するときにシェービング剤が支持部材の周りに漏れないように支持部材の周縁部とベースの内側の側壁との間に緊密なシールを含む。
【００１９】
シェービング組立体は、ベースの上端の開口に向かってシェービング剤を偏倚するか押すためにベースと支持リングとの間に弾性部材を含む。弾性部材は、ベースに取り付けられた第１の端部と、支持リングに取り付けられた第２の端部とを有する１つまたは複数のばねを有する。また弾性部材は、圧縮気泡体またはスポンジ状部材である。他の実施形態において、シェービング組立体は、カトリッジ受け部材をベースの上端に向けて押すためにベースとカートリッジ受け部材との間に弾性部材を含む。
【００２０】
好ましくは、シェービング組立体は、ユーザがベースの上端に対して支持部材及び／又はカートリッジ受け部材の位置を選択的に調整するようにバースに接触する部材を含む。１つの実施形態において、調整部材は、支持部材と接続された第１の端部と回転可能なノブと接続された第２の端部とを有するねじが形成された軸を含む。回転可能なノブは、ベースの下端に配置されていることが好ましい。ノブは、ベースの上端に対してのシェービング剤の位置を調整するようにベースの中空のスペース内での支持部材の位置を調整するために回転される。他の好ましい実施形態において、支持部材は、ベースの中空のスペース内で支持部材の位置を段階的に調整するように支持部材と接触するラッチ機構及び／又はラック及びピニオン構成を含む。この特定の実施形態において、ベースの側壁の一方は、ベースの側壁で接近可能なボタンのような調整部材の位置を位置決めするために開口を有する。ボタンは、ベースの上端に対して支持部材またはカートリッジ受け部材の位置を変化させるために調整部材を起動するために押され、係合される。
【００２１】
本発明の他の好ましい実施形態は、カミソリ刃及び／又は固形シェービング剤に埋め込まれたカミソリ刃カートリッジを備えた第１の表面を有する固形シェービング剤を備えているシェービング組立体を有する。このシェービング組立体は、シェービング剤の第１の表面は、固形シェービング剤に埋め込まれた刃を完全に包囲し、カミソリ刃の少なくとも１つの刃先は、固形シェービング剤の第１の表面と同じ平面にある。好ましくは、固形シェービング剤は長手方向の軸線を有し、少なくとも１つのカミソリ刃は固形シェービング剤の長手方向の軸線にほぼ平行な方向に延びている。
【００２２】
また、シェービング組立体は、シェービング組立体がシェービング動作の間にユーザによってしっかりと心地よく把持されるようにシェービング剤の１つまたは複数の表面と接触する把持部材を有する。把持部材は、固形シェービング剤に接着されるように固形シェービング剤に取り付けられることが好ましい。この把持部材は、ゴムまたは気泡体のような不溶性材料を含み、この部材の把持性を向上するために織り目模様が形成された表面を有していてもよい。ある実施形態において、把持部材は、カミソリ刃／カートリッジから除去されている。他の実施形態において、把持部材は、シェービング剤の表面上に把持部材を液体の形態で配置し、把持材料を硬化させることによってシェービング剤の１つまたは複数の表面上に配置される。固形シェービング剤は、卵形状か、またはユーザの身体の種々の輪郭に適合し心地よく把持することができるような他の形状でもよい。またシェービング剤は、潤滑剤及び皮膚に有益な成分及び／又は香料を含む。
【００２３】
他の実施形態において、シェービング組立体は、刃の長手方向軸線を横断する方向に延びている１つまたは複数のワイヤ、成形部材またはダイカット部材を含む長手方向軸線を有する少なくとも一枚のカミソリ刃を有する。刃に対して横断方向に延びるワイヤ、成形部材またはダイカット部材は、皮膚を傷付け切ることなく、シェービングする表面で刃をいかなる方向にも動かすことができる。横断方向のワイヤ、成形部材またはダイカット部材は、刃先に重ねることもできる。また、シェービング組立体は、刃の刃先に重なるメッシュを含む。メッシュは、皮膚を傷つけ、切ることなくいかなる方向にもシェービング表面上を刃が通過することができる。
【００２４】
他の実施形態において、カミソリ刃は、金属箔の形態であり、この金属箔は、周縁部が１つまたは複数の刃先に鋭くされる多数の穴を有する。各穴内の鋭くされた縁部は、シェービング組立体が複数の方向に移動しないようにるだけではなく、毛を複数の方向に切断することができるようにする。
【００２５】
【発明の実施の形態】
図１は、本発明の好ましい実施形態によるシェービング組立体２０を示している。シェービング組立体は、上方部材２２と下方部材２４とを有するベースを有する。ベースの上方部材２２は、上端２６と下端２８とその間に延びる側壁３０とを有する。ベースの下方部材２４は、平面３２から上方に突出する側壁３４によって包囲された平面３２を含む。上方部材２２は、下方に縮径した領域を有する領域３６を含む。縮径した領域３６は、上方部材２２と下方部材２４が一緒に取り付けられるように下方部材２４の側壁に係合するような寸法である。また、シェービング組立体は、上方部材２２の上端３６に取り付けられるキャップ４４を有することが好ましい。
【００２６】
ベースの上方部材２２は、それに取り付けられたカートリッジ受け部材３８を有する。カートリッジ受け部材３８は、カミソリ刃カートリッジ４０を選択的に取り付けるようになっている。カートリッジ受け部材３８は、側壁３０Ａ及び３０Ｂに取り付けられた支持部材４２を介してベースの対向する側壁３０Ａ及び３０Ｂに接続されている。上方部材の側壁３０は、上方部材２２の上端２６と下端２８との間に延びる中空のスペース４６を画成する。中空のスペース４６は、ベースの上端２６の開口に延びており、カートリッジ受け部材３８の周囲を完全に包囲する。
【００２７】
図１の実施形態は、カミソリ刃カートリッジを受けるようにカートリッジ受け部材３８を示す。カミソリ刃カートリッジは、長手方向の軸線を有する１つまたは複数の刃を有し、１つまたは複数の刃は長手方向軸線に平行な方向に延びている刃先を有する。他の好ましい実施形態において、カミソリ刃カートリッジは、安全刃を含み、刃の長手方向軸線に直角方向に延びているワイヤ、成形されるか、ダイカットされた安全部材またはメッシュを有する。その結果、安全刃を有するカミソリは、シェービング面に対する方向にさらに安全に移動し、ユーザの皮膚を切るか傷つけることを避けるために１つの軸線方向に対する運動に制限されない。カミソリ刃カートリッジは、他の実施形態において、多数の穴を有する金属箔の形態のカミソリ刃を含み、各穴の周縁部は、米国特許第4,483,068号に示すような刃先を構成する。
【００２８】
ある好ましい実施形態において、シェービング組立体は、ベース２２の中空のスペース４６内に配置されたシェービング剤４８を含む。シェービング剤は、固形石鹸、液体、クリームまたはジェルを含む。図１に示すシェービング剤は、上面５０と、下面５２と、上面５０から下面５２に向かって延びる軸線方向の穴５４とを有する。軸線方向の穴５４は、その一部または全体が固形石鹸の底面に延びている。固形シェービング剤は、前壁５６と、後壁５８と、対向する側壁６０及び６２とを有する。側壁６０及び６２は、上面５０から下面５２に向かって延びているスリット６４及び６６を含む。固形シェービング剤４８の底面５２は、成形され、鋳造されるか、支持部材６８に圧力ばめされる。支持部材６８は、支持部材がベースの上端２６と下端２８との間で移動するようにベースの中空のスペース４６内で勘合するような寸法の外周を有する。好ましくは支持部材は、固形シェービング剤を保持するためにタブまたはグリップを含むことが好ましい。
【００２９】
また、シェービング組立体２０は、ベースのカートリッジ受け部材３８及び／又は上端に対して固形シェービング剤４８の位置を調整するための調整部材７０を含む。調整部材７０は、固形シェービング剤４８の上面５０がカートリッジ受け部材３８に取付られたカミソリ刃カートリッジ４０の刃と共通の平面にあるように作動されることが好ましい。
【００３０】
図２は、シェービング組立体２０の平面図である。上方部材２２は、その間に中空のスペース４６を画成する対向側壁３０を有し、中空のスペースは、ベース上方部材２２の上端から下端に延びている。図２及び図３を参照すると、カートリッジ受け部材３８は、カートリッジ受け部材がベースの上端の開口に配置されるように支持部材４２を介して側壁３０Ａ及び３０Ｂと接続されている。カートリッジ受け部材は、周縁部７２を有し、ベースの上端の開口が周縁部７２を完全に包囲する。図４を参照すると、カートリッジ受け部材３８は、ベースの上端２６上に突出している。
【００３１】
図５は、固形シェービング剤４８を受けるために支持部材６８の斜視図を示す（図１参照）。支持部材６８は、固形シェービング剤の底面を支持するために平面７４と、シェービング剤を横方向に取り付けるためにほぼ平面７４から上方に突出している側壁７５を有する。また、固形シェービング剤は、固形シェービング剤をトレイに固定する突出部材またはタブ７７によって支持部材６８に取り付けられる。支持部材６８は、支持部材６８の底面に向かって平坦な表面７４から延びている穴７６を有する。図６を参照すると、ほぼ平坦面７４の中心に配置され、めねじ７８が設けられている。
【００３２】
図７を参照すると、固形シェービング剤４８は、上面５０と、底面５２と、側壁６０及び６２とを有する。図８及び図９を参照すると、固形シェービング剤４８は、側壁６０及び６２に形成されたスリット６４，６６を含む。このスリットは、上面５０からケーキの底面５２に向かって延びている。スリット６４、６６は、固形シェービング剤がベースの上端に向かって移動するときカートリッジ受け部材（図１参照）のための側方支持部材４２によって固形シェービング剤４８が通過できるようにする。図８は、固形シェービング剤４８がカートリッジ受け部材に対して移動するときスロット６６に対して第１の位置４２Ａと第２の位置４２Ｂにある側方支持部材４２を示している。
【００３３】
図１を参照すると、調整部材７０は、ノブ８４に接続された下端８２と、そこから離れた上端８６とを有する軸８０を有する。軸８０は、下端８２とその上端８６との間に延びるおねじ８８を有する。また、軸はねじ８８の外径より大きい直径を有する環状フランジ９０を有する。フランジ９０は、軸８０の下端８２とおねじ８８との間に配置されている。
【００３４】
図１０を参照すると、調整部材７０は、ベースの下端２８の開口９２を通じて軸８０のねじ部分８８を通すことによってベースと組み立てられている。開口９２は、軸８０のねじ８８が容易に通過するような寸法である。開口９２は、開口９２の中心に向かって延びているタブ９４を有する。タブは、環状フランジ９０の直径より小さい内径を規定する。その結果、フランジ９０は、調整部材７０をベースの下端２８に回転可能に取り付けるためにタブ９４によってベースの中空のスペース内で捕捉される。しかしながら、タブは、ねじが形成された軸をタブに大きな力を加えることなくベースから引くことができない。
【００３５】
図１０を参照すると、調整部材は、軸８０のおねじ８８を支持部材６８の開口７６のめねじ７８にねじ込むことによって、ベースの下端に取り付けられる。フランジ９０は、タブ９４を介して開口９２内に回転可能に取り付けられる。シェービング剤４８は、シェービング動作中、上面がカミソリ刃カートリッジ４０の刃の下になるまで消費することができる。その結果、シェービング剤は、刃の周り全体及び刃先の前方にはもはや供給されない。
【００３６】
十分な潤滑を提供するために、カミソリ刃カートリッジ４０に対してシェービング剤４８の位置を調整する必要がある。図１１を参照すると、シェービング剤４８は、上面５０がカミソリ刃カートリッジ４０の刃先と同じ平面になるように再配置される。シェービング剤４８の位置は、回転ノブ８４によって調整され、回転ノブ８４は、おねじ８８を支持部材の開口７６のめねじ７８にねじ込む。その結果、支持部材６８は、カミソリ刃カートリッジ４０に向けて移動し、このカミソリ刃カートリッジ４０は、シェービング剤４８を押して上方に移動させる。ノブ４８は、シェービング剤４８の上面５０がカミソリ刃カートリッジ４０の刃先と同じ平面になるまで回転する。ユーザは、シェービング剤４８の上面５０が刃先と同じ平面になるまでノブ８４を細かく調整することができる。
【００３７】
図１２及び図１３は、本発明の好ましい実施形態によるシェービング組立体を示し、これにより、カートリッジ受け部材１３８の高さは、シェービング剤１４８の上面１５０と同じ平面になるように調整可能である。シェービング剤１４８の位置は、調整可能か、調整可能ではない。シェービング組立体１２０は、調整部材１７０を有し、この調整部材１７０は、軸１８０の下端１８２に取り付けられた回転可能なノブ１８４を有する。軸は、カートリッジ受け部材１３８と接続される上端１８６を有する。軸１８０は、ベース１２２の下端１２８の開口１９０に形成されためねじ１９６にねじ込まれるおねじ１８８を含む。シェービング組立体は、固形シェービング剤１４８を支持する支持部材１６８を有する。支持部材１６８は、静止しており、ベース１２２の中空のスペース１４６内では移動しない。固形シェービング剤１４８は、上面１５０から支持部材１６８に延びる軸線方向の穴（図示せず）を有する。軸線方向の穴は、一部あるいは全体が固形シェービング剤の底面に延びている。穴の周縁部は、調整中のシェービング剤の軸線方向の穴（図示せず）を貫通するようにカットリッジ受け部材１３８の外縁１７２より大きい。シェービング組立体の使用中、シェービング剤１４８の上面は、カミソリカートリッジの刃先はシェービング組立体１４８の上面１５０の上になるまで消費される。これは、シェービング面の不適当な潤滑を生じる。これを有効に改造し、カミソリ刃カートリッジ１４０の刃先をシェービング組立体１４８の上面と同じ平面に配置するために、ノブ１８４は、軸１８０のおねじ１８８が開口１９０のめねじ１９６に係合するように回転される。ノブ１８４は、カミソリ刃カートリッジ１４０の刃先がシェービング剤１４８の上面と同じ平面になるまで回転する。カミソリ刃カートリッジ１４０の位置は、シェービング組立体の上面１５０と同じ平面でカミソリ刃カートリッジ１４０の刃先を維持するために必要に応じて連続的に再調整される。
【００３８】
図１４は、図１２及び図１３に示すものと同様のシェービング組立体を示している。この実施形態において、回転可能なノブ１８４′は、中空のスペース１４６′内に配置される。軸１８０′は、カートリッジ受け部材１３８′に接続されている上端１８６′と、下端１８２′とを有する。軸１８０′は、回転可能なノブ１８４′の中央の開口１９９′に形成されためねじ１９８′にねじ込まれる。ベース１２２′の下端１２８′において、軸１０８′は、開口１９０′を自由に通過するように移動する。
【００３９】
図１５及び図１６は、本発明の他の好ましい実施形態によるシェービング組立体２２０を示す。シェービング組立体２２０は、図１に示すと同様である。しかしながら、シェービング組立体は、調整部材２７０を含み、この調整部材２７０は、カミソリ刃カートリッジ２４０に対してシェービング剤２４８の高さを調整するためにラッチ機構（図１７）を含む。調整機構は、カートリッジ支持部材２３８に取り付けられた上端２８６とそこから離れた下端２８２とを有する。調整部材２７０は、ラッチ機構２９８を有し、ラッチ機構２９８は、カミソリ刃カートリッジ２４０に向かって上方に支持部材２６８及びシェービング剤２４８を移動するために軸２８０のおねじに係合する。ラッチ機構２７０は、支持部材を上方に支持部材２６８を押すために押すことができるボタン２２９を備えている。他の実施形態において、ラッチ機構は、ユーザがカートリッジ受け部材の高さを調整することができるようにカートリッジ受け部材２３８に接触する。
【００４０】
図１７は、図１５及び次７Ｂに示すラッチ機構２７０を示している。ラッチ機構は、歯を有する回転可能なホイール２７１を含む。押圧可能なボタン２２９は、ばね２７５に接続可能であり、このばねは、押圧可能なボタンは、押されていない位置またはスタート位置に戻すばね２７５に接続されている。ボタン２２９は、ラチェットホイール２７１の歯車の歯２７３に係合しボタン２２９が押されているときホイールを回転する。またラチェット機構は、ホイール２７１が一方向にのみ回転可能なように反転防止ラッチ２７９を有する。動作において、ボタン２２９は、ホイール２７１を回転するために押され、このホイール２７１は、シェービング剤２４８を上方に押すＨために軸２８０を回転する。
【００４１】
図１８は、本発明の好ましい実施形態によるシェービング組立体３２０を示す。シェービング組立体は、上端３２６と下端３２８を有するベース３２２と、その間に中空のスペース３４６とを有する。シェービング組立体３２０は、ベース３２２に接続され、ベース３２２の上端３２６の開口に配置されるカートリッジ受け部３３８を含む。カートリッジ受け部３３８は、ベース３２２の上端３２６を開放することによって完全に包囲される外縁部３７２を有する。この組立体は、シェービング剤３４８を支持するための支持部材３６８を有する。このカートリッジ受け部材３３８は、刃先３４１を有するカミソリ刃カートリッジ３４０を固定するようになっている。シェービング剤支持部材３６８は、支持部材３６８がベース３２２の上端３２６と下端３２８との間で軸線方向に移動するようにベース３２２の中空のスペース３４６内で嵌合される寸法である。シェービング剤支持部材は、シェービング剤支持部材３６８がカートリッジ受け部材３３８上を自由に通過するようにカートリッジ受け部材３３８の周縁部３７２より大きい周縁部３７３を有する中央開口３７１を有する。シェービング剤３４８は、上面３５０とそこから離れた下面３５２と、上面３５０と底面３５２との間に延びる軸線方向の穴３５３を有する。シェービング剤支持部材３６８は、シェービング剤３４８を上面３７２に取り付けるために１つまたは複数のタブ３７５を含む。穴３５３の周囲３５５は、以下に詳細に示すようにシェービング組立体３２０の動作中、カートリッジ受け部材３３８の周縁部を通過する。シェービング剤支持部材３６８は、突出部３７７によってベース３２２の中空のスペース３４６内に捕捉される。突出部は、支持部材３６８の中央開口３７１に面するタブ３７５の部分に設けられた凹所３７９に係合する。
【００４２】
図１９を参照すると、シェービング組立体３２０は、支持部材３６８の下面３８３とベース３２２の下端３２８との間に弾性部材３８１を含む。支持部材３６８の上面３７２は、シェービング剤３４８を支持している。図１９に示す実施形態において、弾性部材３８１は、カートリッジ受け部材３３８の周りに潤滑剤を提供するためにベース３２２の上端３２６に向かって支持部材３６８とシェービング剤３４８を押す１つまたは複数のばねを含む。他の実施形態において、１つまたは複数のばねは、図２１に示す板ばねの形態である。板ばねは、ベース３２２のようなシェービング組立体３２０の一部と一体的に成形される。
【００４３】
図１９及び図２０を参照すると、シェービング動作中に、シェービング組立体３２０は、シェービング剤３４８の上面３５０がシェービング面３８５に面するようにシェービング面と並置されている。通常、１つまたは複数のばね３８１は、シェービング剤３８４の上面３５０をカートリッジ受け部材３３８に押す。しかしながら、シェービング剤３４８の上面３５０は、シェービング面３８５に接触し、弾性部材３８１は、シェービング剤３８４の上面３５０とカミソリ刃カートリッジ３４０の刃先が図２０に示すように共通の平面になるまで圧縮される。その結果、シェービング剤３４８は、カミソリ刃カートリッジ３４０を包囲し、刃先のすぐ前方でシェービング面３８５に潤滑剤を提供する。使用中、シェービング剤３８４は、弾性部材３８１の上に配置され、シェービング剤３８４はシェービング面にさらによく適合するように起伏を生じる動きをすることができる。
【００４４】
図２１は、図１９及び図２１に示すものとい同様のシェービング組立体３２０′の他の実施形態を示す。図２１の実施形態において、弾性部材３８１′は、ベース３２２′とともに一体的に成形された板ばねを含む。
【００４５】
図２２及び図２４は、弾性部材４８１が圧縮可能な気泡体である、本発明の他の好ましい実施形態によるシェービング組立体を示す。この実施形態において、シェービング組立体４２０は、上端４２２と下端４２８とを有するベース４２２を含む。カミソリ刃カートリッジ４４０のカートリッジ受け部材４３８は、ベース４２２に取付られる。カートリッジ受け部材４３８及びカミソリ刃カートリッジ４４０は、静止しているか、ベース４２２に対して移動しない。シェービング組立体は、上面４５０と下面４５２を有する固形シェービング剤４４８を含む。固形シェービング剤４４８は、支持部材４６８の上面４５０の上に設けられる。圧縮可能な気泡体４８１は、支持部材４６８のベース４２２と下面４８３との間に配置されている。
【００４６】
図２３を参照すると、シェービング組立体４２０は、シェービング動作中に、シェービング面４８５と並置されている。最初に、シェービング剤４４８の上面４５０は、カミソリ刃カートリッジ４４０の刃先上にある。図２４を参照すると、シェービング面４８５に係合するとき、シェービング剤４４８は、ベース４２２の下端４２８に向かって移動するように押され、それによって、圧縮可能な気泡体４８１を圧縮する。シェービング剤は、上面４５０がカミソリ刃カートリッジ４４０と同じ平面になるまでベース４２２の下面に向かって移動する。使用中、シェービング剤４４８が弾性部材４８１の上に配置されるので、シェービング剤４４８は、シェービング面にさらによく適用するように波打つこができる。
【００４７】
図２５は、カートリッジ受け部材５３８がシェービング組立体のベースに弾性的に取り付けられている本発明の他の好ましい実施形態によるシェービング組立体５２０を示す。シェービング組立体は、ベース５２２を有し、ベース５２２は、上端５２６と、下端５２８とその間にベースの上端５２６に開口を有する中空のスペース５４６を有する。カートリッジ受け部材５３８は、カートリッジ受け部材がベース５２２に対して可動であるように弾性部材５８１を介してベース５２２に接続されている。図２５に示す特定の実施形態において、ベースは、中央ばね５８１を含む中央開口５８５を有する弾性部材支持部材５３８を有する。カートリッジ受け部材５３８は、中央開口５８５に取付けられた脚部５３９を有し、この脚部５３８は、カートリッジ受け部材５３８をベース５２２の下端に向かって偏倚するためのばね５８１に接触している。ばね５８１は、カートリッジ受け部材５３８をベース５２２の上端５２６に向かって連続して押すために弾性的である。
【００４８】
図２６は、図２５に示すシェービング組立体の上面を示す。
この実施形態において、ベースは、卵形の外縁を有し、シェービング剤５４８は、ベースの中空のスペースに直接成形されるか圧力ばめされる。シェービング剤５４８は、間を通る軸線方向の穴５５４を有する。穴の周囲は、弾性的に取り付けられた受け部材がシェービング動作中にシェービング剤の軸線方向の穴５５４を通過するようにカートリッジ受け部材５３８の外周より大きい。
【００４９】
図２７及び図２８は、シェービング動作中の図２５及び図２６のシェービング組立体５２０を示す。シェービング組立体５２０は、シェービング剤５４８の上面がシェービング面５８５に面するようにシェービング面５８５に並置されている。弾性部材５８１は、カートリッジ受け部材５３８とカミソリ刃カートリッジ（図示せず）とをシェービング剤５４８の上面の位置に押す。シェービング剤５４８の上面５５０がシェービング面に接触するとき、シェービング面５４８は、ばね５８１を圧縮するためにシェービング剤５４８の上面に力を加える。シェービング面５８５によって加えられる力がカミソリ刃カートリッジの刃先がシェービング剤５４８に上面５５０の共通な平面になるまでベース５２２の下端に向かってカートリッジ受け部材５３８を押し続ける。
【００５０】
図２９は、本発明の好ましい実施形態によるシェービング組立体６２０を示す。シェービング組立体６２０は、図１８に示したものと同様であるが、ベース６２２の下端６２８は、図１に示すものと同様の調整組立体の一部である回転可能なノブ６４８を有する。
【００５１】
図３０は、本発明の他の好ましい実施形態によるシェービング組立体７２０を示す。シェービング組立体７２０は、図１８に示すものと同様であるが、調整機構は、図７に示したものと同様の押圧可能なボタン７９９を備えたラチェット機構を有する。
【００５２】
図３１−図３３は、本発明の好ましい実施形態によるシェービング組立体８２０を示す。図３１及び図３２を参照すると、シェービング組立体８２０は、カミソリ刃カートリッジ８４０の刃先８７２がシェービング剤８４８の上面と同じ平面になるようにシェービング剤８４８に埋め込まれたカミソリ刃はカートリッジ８４０を含む。また、シェービング組立体はカミソリ刃カートリッジ８４０から離れたシェービング剤の領域をカバーするシェービング剤８４８に取り付けられた把持部材８９１を含む。把持部材８９１は、シェービング組立体８２０を保持し、組立体のシェービング剤部分を保持する表面を提供する。把持部材８９１は、織り目模様または非織り目模様の表面を有するゴムまたは気泡体材料を有する。また把持部材は、把持部材をシェービング剤に描くことによってシェービング剤８４８の１つまたは複数の領域上に配置される。
【００５３】
図３３は、図３２に示すシェービング組立体の端面図である。図３２及び図３３に示すように、カミソリ刃カートリッジ８７２の刃は、シェービング剤の長さにほぼ平行な長手方向の軸線を有する。
【００５４】
図３４は、本発明の好ましい実施形態によるシェービング組立体９２０を示す。シェービング組立体９２０は、図３１−図３３に示すものと同様であるが、把持部材９９１は、底面上に配置され、シェービング剤９４８の側面９６０及び９６２は、大きな把持面積を提供するようにシェービング剤９４８の底面９５２及び側面９６０及び９６２上に配置される。
【００５５】
図３５は、カートリッジ受け部材１０３８がシェービング組立体のベース１０２２にラチェットにより取り付けられている本発明による他の好ましい実施形態を示している。シェービング組立体は、上端１０２６と、下端１０２８と、ベースの上端に開口を形成する中空のスペース１０４６とを有する。カートリッジ受け部材１０３８は、ベース１０２２に対して可動であるように突出部材１０９０を介してベース１０２２に接続されている。図３５に示す特定の実施形態において、ベースは、１つの支持部材の内側に歯１０９１を含む中央開口１０８５を有するカートリッジ受け部材脚部支持部材１０８３を含む。カートリッジ受け部材１０３８は、中央開口１０８５に取り付けられた脚部１０３９を有し、脚部１０３９は、カートリッジ受け部材１０３８をベース１０２２の下端１０２８に向かって押すために歯１０９１を有する。
【００５６】
図３６は、図３５のシェービング組立体の平面図である。この実施形態において、ベースは、卵形の外周を有し、シェービング剤１０４８は、それを通って延びる軸線方向の穴１０５４を有する。穴の周囲は、ラチェット取付受け部材がシェービング動作の間にシェービング剤１０４８の軸方向の穴１０５４を通過するようにカートリッジ受け部材１０３８の外縁１０７２より大きい。
【００５７】
図３７及び図３８は、シェービング動作中に図３５及び図３６のシェービング組立体１０２０を示す。シェービング組立体１０２０は、シェービング剤１０４８の上面１０５０がシェービング面１０８５に面するようにシェービング面１０８５と並置される。カミソリ刃カートリッジ（図示せず）の刃先は、シェービング剤１０４８の上面と同じ平面である。シェービング剤１０４８の上面１０５０がシェービング面１０８５に接触するとき、シェービング面は、シェービング剤１０４８とカートリッジ受け部材１０３８の上面１０５０に力を及ぼす。シェービング面１０８５によって及ぼされる力は、ベース１０２２の下端１０２８に向かってカートリッジ受け部材１０３８に力を及ぼし続ける。シェービング剤１０４８が摩耗すると、力は、カートリッジ受け部材１０３８をベース１０２２の下端１０２８に向かってしだいに大きくなるように押す。したがって、カミソリ刃カートリッジ（図示せず）の刃先は、シェービング剤１０４８の上面１０５０と同じ平面に維持される。
【００５８】
本発明を特定の実施形態で説明したが、これらの実施形態は、本発明の原理及び用途を例示したものであることを理解すべきである。種々の型式の刃先を有するカミソリを使用することを考慮すべきである。例えば、本発明は、種々の形状の刃先を有するカミソリのような刃先を備えた細長い刃を有しなくてもよい。したがって、本発明に対して種々の変形が可能であり、特許請求の範囲によって定義された本発明の精神及び範囲から逸脱せずに他の構成も考慮することができる。
【図面の簡単な説明】
【図１】本発明のある好ましい実施形態によるシェービング組立体の分解図である。
【図２】組立後の図１のシェービング組立体の平面図である。
【図３】図２の線ＩＩＢ−ＩＩＢに沿ったシェービング組立体の断面図である。
【図４】図４の線ＩＩＣ−ＩＩＣに沿ったシェービング組立体の側面図である。
【図５】本発明のある好ましい実施形態によるシェービング剤支持部材の斜視図である。
【図６】図５に示す支持部材の平面図である。
【図７】図１のシェービング組立体とともに使用するシェービング剤の斜視図である。
【図８】図７のシェービング剤の側面図である。
【図９】図７及び図８に示すシェービング剤の平面図である。
【図１０】本発明の好ましい実施形態によるシェービング剤を有するシェービング組立体の断面図である。
【図１１】シェービング剤の位置を変えた後の図１０のシェービング組立体を示す図である。
【図１２】本発明の他の好ましい実施形態によるカミソリ刃カートリッジ受け部材を含むシェービング組立体の断面図である。
【図１３】カミソリ刃カートリッジ受け部材を調節した後の図１２のシェービング組立体を示す図である。
【図１４】本発明の他の好ましい実施形態によるシェービング組立体の断面図である。
【図１５】本発明の他の好ましい実施形態によるシェービング組立体の分解図である。
【図１６】図１５のシェービング組立体の断面図である。
【図１７】図１５及び図１６に示すシェービング組立体の断面図である。
【図１８】本発明の好ましい実施形態によるシェービング組立体の分解図である。
【図１９】シェービング動作の開始前の図８のシェービング組立体の断面図である。
【図２０】シェービング動作中の図１９のシェービング組立体を示す図である。
【図２１】本発明の好ましい実施形態によるシェービング組立体の断面図である。
【図２２】本発明の好ましい実施形態によるシェービング組立体の断面図である。
【図２３】シェービング動作の開始前に図２２のシェービング組立体を示す図である。
【図２４】シェービング動作中の図２２及び図２３のシェービング組立体を示す図である。
【図２５】本発明の他の好ましい実施形態によるシェービング組立体の側断面図である。
【図２６】図２５の線ｘＩＩ−ｘＩＩに沿った図２５の組立体の平面図である。
【図２７】シェービング動作の開始前の図２５のシェービング組立体の断面図である。
【図２８】シェービング動作中の図２７のシェービング組立体を示す図である。
【図２９】本発明の好ましい実施形態によるシェービング組立体の斜視図である。
【図３０】本発明の好ましい実施形態によるシェービング組立体の斜視図である。
【図３１】本発明の他の好ましい実施形態によるシェービング組立体の平面図である。
【図３２】図３１に示すシェービング組立体の正面図である。
【図３３】図３１に示すシェービング組立体の端面図である。
【図３４】本発明の好ましい実施形態によるシェービング組立体の端面図である。
【図３５】本発明の他の好ましい実施形態によるシェービング組立体の断面図である。
【図３６】図３５のＸＸＩ−ＸＸＩに沿った図３５の組立体の平面図である。
【図３７】シェービング動作の開始前の図３５のシェービング組立体の断面図である。
【図３８】シェービング動作中の図３５のシェービング組立体を示す図である。
【符号の説明】
２２  上方部材
２４  下方部材
２６  上端部
２８  下端部
３０、３４  側壁
３６  領域
４４  キャップ
４６  スペース
４８  固形シェービング剤
５２  下面
【図１】
0004845271.tif 000002
【図２】
0004845271.tif 000003
【図３】
0004845271.tif 000004
【図４】
0004845271.tif 000005
【図５】
0004845271.tif 000006
【図６】
0004845271.tif 000007
【図７】
0004845271.tif 000008
【図８】
0004845271.tif 000009
【図９】
0004845271.tif 000010
【図１０】
0004845271.tif 000011
【図１１】
0004845271.tif 000012
【図１２】
0004845271.tif 000013
【図１３】
0004845271.tif 000014
【図１４】
0004845271.tif 000015
【図１５】
0004845271.tif 000016
【図１６】
0004845271.tif 000017
【図１７】
0004845271.tif 000018
【図１８】
0004845271.tif 000019
【図１９】
0004845271.tif 000020
【図２０】
0004845271.tif 000021
【図２１】
0004845271.tif 000022
【図２２】
0004845271.tif 000023
【図２３】
0004845271.tif 000024
【図２４】
0004845271.tif 000025
【図２５】
0004845271.tif 000026
【図２６】
0004845271.tif 000027
【図２７】
0004845271.tif 000028
【図２８】
0004845271.tif 000029
【図２９】
0004845271.tif 000030
【図３０】
0004845271.tif 000031
【図３１】
0004845271.tif 000032
【図３２】
0004845271.tif 000033
【図３３】
0004845271.tif 000034
【図３４】
0004845271.tif 000035
【図３５】
0004845271.tif 000036
【図３６】
0004845271.tif 000037
【図３７】
0004845271.tif 000038
【図３８】
0004845271.tif 000039